(57)【要約】【課題】レンズ鏡筒に対して迅速且つ容易に着脱することの可能なレンズフードを提供すること。【解決手段】レンズフード１は、撮影レンズ鏡筒２のレンズ光軸周りに設けられた外周円周溝であるフード取付用溝２１に嵌合可能な内径側に凸となっている凸部を有し、該凸部は内径側に向かうに従って細くなる角錐状で且つ円周方向に沿った断面においてその円周方向に長い菱形断面を有するような形状を有する嵌合爪である固定爪１１と、上記固定爪１１の上記フード取付用溝２１への嵌合状態を保持、解除を可能とする係合爪である可動爪１２とを備える。【選択図】    図１
2005017377.tif 000002
【特許請求の範囲】
【請求項１】
撮影レンズの光軸周りに設けられた外周円周溝に嵌合可能な内径側に凸となっている凸部を有し、該凸部は内径側に向かうに従って細くなる角錐状もしくは円錐状の形状を有する嵌合爪と、
上記嵌合爪の上記外周円周溝への嵌合状態を保持、解除を可能とする係合爪と、
を具備することを特徴とするレンズフード。
【請求項２】
上記嵌合爪は、上記撮影レンズの光軸を挟んで上記係合爪と略反対側に配置されていることを特徴とする請求項１に記載のレンズフード。
【請求項３】
上記嵌合爪は、複数の嵌合爪からなり、それらが互いに離間して配置されていることを特徴とする請求項１に記載のレンズフード。
【請求項４】
上記嵌合爪の個数は、２であることを特徴とする請求項３に記載のレンズフード。
【請求項５】
上記嵌合爪は、円周方向に沿った断面において、その円周方向に長い菱形断面を有することを特徴とする請求項１に記載のレンズフード。
【請求項６】
撮影レンズの光軸周りに設けられた外周円周溝に嵌合可能な内径側に凸となっている凸部を有し、互いに離間して配置された複数の嵌合爪と、
上記複数の嵌合爪の上記外周円周溝への嵌合状態を保持、解除を可能とする係合爪と、
を具備し、
上記複数の嵌合爪の内の少なくとも一つの凸部は、内径側に向かうに従って細くなる角錐状もしくは円錐状の形状を有することを特徴とするレンズフード。
【発明の詳細な説明】
【０００１】
【発明の属する技術分野】
本発明は、カメラ等の撮影レンズ鏡筒の先端に装着されて使用されるレンズフードに関する。
【０００２】
【従来の技術】
カメラによる撮影を行う際には、例えば直射日光等の画面視野外からの余計な光がレンズ表面に差し込んで、フレアやゴーストを起こさないようにするために、その撮影レンズ鏡筒の先端にレンズフードを装着することが一般的に行われている。
【０００３】
このレンズフードの装着装置として、例えば、特許文献１には、レンズ鏡筒の外周部に設けられた環状溝に対し、レンズフードの内周面に設けられた複数の突起を嵌合させると共に、固定部材をネジ締めにより上記環状溝内に前進させることで、その嵌合状態を保持させる機構が開示されている。
【０００４】
なお、上記特許文献１に開示の装着装置では、上記突起が上記環状溝内に容易に進入し得るように、また、Ｖ字溝である環状溝と確実に嵌合するように、その先端部に上記Ｖ字の角度に合わせた面取りがなされている。
【０００５】
また、上記特許文献１に開示の装着装置では、レンズフードを撮影レンズ鏡筒から取り外す際には、ネジを緩めて上記固定部材を後進させることで上記環状溝に対する上記突起の嵌合状態を解除できる状態とした上で、上記固定部材の位置に対応するレンズフード先端部分にレンズ光軸方向に向けて力を加えることにより、上記嵌合状態が解除され、レンズフードが取り外されることになる。
【０００６】
【特許文献１】
実開昭６０−７０８３３号公報
【０００７】
【発明が解決しようとする課題】
上記特許文献１に開示のレンズフード装着装置のような構成では、角柱状の可動の固定部材（爪）でそれを外径側に移動させるが、環状溝からこの爪が外れたときに、フードを光軸に対し曲げることができず、意外にレンズ鏡筒から外しにくく、想像以上に煩わしいものとなってしまう。
【０００８】
本発明は、上記の点に鑑みてなされたもので、レンズ鏡筒に対して迅速且つ容易に着脱することの可能なレンズフードを提供することを目的とする。
【０００９】
【課題を解決するための手段】
上記の目的を達成するために、請求項１に記載の発明によるレンズフードは、撮影レンズの光軸周りに設けられた外周円周溝に嵌合可能な内径側に凸となっている凸部を有し、該凸部は内径側に向かうに従って細くなる角錐状もしくは円錐状の形状を有する嵌合爪と、上記嵌合爪の上記外周円周溝への嵌合状態を保持、解除を可能とする係合爪と、を具備することを特徴とする。
【００１０】
また、請求項２に記載の発明によるレンズフードは、請求項１に記載の発明によるレンズフードにおいて、上記嵌合爪は、上記撮影レンズの光軸を挟んで上記係合爪と略反対側に配置されていることを特徴とする。
【００１１】
また、請求項３に記載の発明によるレンズフードは、請求項１に記載の発明によるレンズフードにおいて、上記嵌合爪は、複数の嵌合爪からなり、それらが互いに離間して配置されていることを特徴とする。
【００１２】
また、請求項４に記載の発明によるレンズフードは、請求項３に記載の発明によるレンズフードにおいて、上記嵌合爪の個数は、２であることを特徴とする。
【００１３】
また、請求項５に記載の発明によるレンズフードは、請求項１に記載の発明によるレンズフードにおいて、上記嵌合爪は、円周方向に沿った断面において、その円周方向に長い菱形断面を有することを特徴とする。
【００１４】
また、上記の目的を達成するために、請求項６に記載の発明によるレンズフードは、撮影レンズの光軸周りに設けられた外周円周溝に嵌合可能な内径側に凸となっている凸部を有し、互いに離間して配置された複数の嵌合爪と、上記複数の嵌合爪の上記外周円周溝への嵌合状態を保持、解除を可能とする係合爪と、を具備し、上記複数の嵌合爪の内の少なくとも一つの凸部は、内径側に向かうに従って細くなる角錐状もしくは円錐状の形状を有することを特徴とする。
【００１５】
【発明の実施の形態】
以下、本発明の実施の形態を図面を参照して説明する。
【００１６】
［第１の実施の形態］
図１は、本発明の第１の実施の形態に係るレンズフード１を一部切り欠いて示す斜視図である。
【００１７】
レンズフード１は、交換レンズ等の撮影レンズ鏡筒２に取り付けられるものである。そのため、撮影レンズ鏡筒２には、その先端に、該撮影レンズ鏡筒２の光軸周りに設けられた外周円周溝であるフード取付用溝２１が形成され、レンズフード１は、そのフード取付用溝２１に対して嵌合可能な内径側に凸となっている凸部を有する嵌合爪である固定爪１１が複数個、本実施の形態では２個、設けられている。さらに、レンズフード１には、上記撮影レンズの光軸を挟んで上記固定爪１１と略反対側に、可動爪１２が配置されている。この可動爪１２は、ロック操作ダイアル１３の操作に応じて、上記撮影レンズ鏡筒２のフード取付用溝２１内に進退することで、上記固定爪１１の上記フード取付用溝２１への嵌合状態を保持、解除を可能とする係合爪として機能する。
【００１８】
図２及び図３は、この可動爪１２の移動機構の構成を説明するための組み立て図及び図１中のＸ−Ｘ断面の断面図である。
【００１９】
即ち、上記ロック操作ダイアル１３はネジ軸１３１を備え、そのネジ軸１３１の先端部には、細径とされたＥリング用溝１３２が設けられている。このロック操作ダイアル１３のネジ軸１３１は、可動爪１２をレンズフード１の径方向にガイドするためのネジ台１４に設けられたネジ穴１４１に螺合され、さらに、その先端部のＥリング用溝１３２が、可動爪１２に設けられた貫通穴１２１を介して、該可動爪１２の貫通横穴１２２内に突出するよう組み立てられる。そして、その可動爪１２の貫通横穴１２２内に突出したＥリング用溝１３２に対してＥリング１５を嵌合することで、可動爪１２がネジ軸１３１に対して回転自在に且つネジ軸１３１と軸方向に一体的に移動するように係止される。
【００２０】
一方、レンズフード１の上部には、可動爪１２を、収容したり、レンズフード１の内側に突出させたりするための穴１６が形成されており、上記のようにして組み立てられた後、上記可動爪１２とこの穴１６とを整列させた状態で、レンズフード１内周面より止めネジ１７により、上記ネジ台１４をレンズフード１の上部外周上に固定する。
【００２１】
このような組み立て構造とすることで、ロック操作ダイアル１３をネジ台１４に対して締め付けて下動させると、このロック操作ダイアル１３にネジ軸１３１を介して連結された可動爪１２も下動し、可動爪１２のほぼ全体がレンズフード１の内側に突出する。また逆に、ロック操作ダイアル１３をネジ台１４に対して回動させて上動させることにより、可動爪１２も上動し、可動爪１２の一部をレンズフード１の穴１６内に収容し、一部をレンズフード１の内側に突出するように任意に調整できる。なお、可動爪１２のほぼ全体がレンズフード１の内側に突出した状態のとき、可動爪１２が撮影レンズ鏡筒２のフード取付用溝２１内に進入して係合するように、可動爪１２及びその移動機構のサイズを決めておく。
【００２２】
なお、撮影レンズ鏡筒２は、図３に示すように、フード取付用溝２１の後端面から径方向外方に突出するようにストッパー部としての壁２２を形成しておくことが好ましい。
【００２３】
このように形成されたレンズフード１の撮影レンズ鏡筒２に対する着脱について、説明する。
【００２４】
レンズフード１の取り付け時には、ロック操作ダイアル１３を回動して可動爪１２の内径側への突出量を所定量以下にした上で、固定爪１１側からレンズフード１を撮影レンズ鏡筒２に被せる。
【００２５】
このとき、固定爪１１側を撮影レンズ鏡筒２の外周部に対して滑らせることで、固定爪１１をスムーズにフード取付用溝２１に対向する位置まで送ることができる。そして、固定爪１１側をフード取付用溝２１に対向する位置まで被せ、固定爪１１をフード取付用溝２１嵌合させる。この場合、固定爪１１側をさらに後方まで移動させようとしても、固定爪１１が壁２２に当接するので、それ以上レンズフード１が後方まで被せられることを防止できる。
【００２６】
次に、同様にして、可動爪１２側をフード取付用溝２１に対向する位置まで被せる。
【００２７】
そして、ロック操作ダイアル１３を回動し締め付けていくと、可動爪１２がフード取付用溝２１に係合する。これにより、固定爪１１のフード取付用溝２１への嵌合状態が保持される。
【００２８】
また、レンズフード１を撮影レンズ鏡筒２から取り外す際には、装着時と逆の手順で行う。即ち、ロック操作ダイアル１３を緩めていって可動爪１２の突出量を減じ、該可動爪１２のフード取付用溝２１への係合を解除すると同時に、固定爪１１のフード取付用溝２１への嵌合状態の解除できるようにする。そして、図１に矢印Ａで示すように、該可動爪１２側のレンズフード先端に力を加えることで、固定爪１１のフード取付用溝２１への嵌合状態が解除され、レンズフード１が取り外される。
【００２９】
但し、これは、前述したように、固定爪１１が角柱状の爪では可動爪１２のフード取付用溝２１への嵌合状態を解除しにくい。
【００３０】
そこで、本第１の実施の形態においては、上記レンズフード１の固定爪１１を、図４の（Ａ）に示すようなものとすることで、最低限の可動爪１２の上動のみで固定爪１１のフード取付用溝２１への嵌合状態を解除できるようにしている。即ち、固定爪１１は、撮影レンズ鏡筒２のフード取付用溝２１に嵌合可能な内径側に凸となっている凸部を有するものであるが、本実施の形態では、この凸部を、内径側に向かうに従って細くなる角錐状の形状で、且つ、円周方向に沿った断面においてその円周方向に長い菱形断面を有するものとしている。そして、このような固定爪１１を、レンズフード１の所定位置に設けられたネジ止め用の穴１８に対し該固定爪１１に設けたネジ穴１１１を位置決めした上で、レンズフード１外周より止めネジ１７によりレンズフード１の所定位置内周に固定している。
【００３１】
撮影レンズ鏡筒２に装着されたレンズフード１が抜け落ちないようにするためには、最低限、可動爪１２と固定爪１１が１個ずつ有れば良い。しかし、そのような２点支持ではガタツキが大きいため、一般的に、１個の可動爪１２と２個の固定爪１１を用いた３点支持とするのが好ましいことが知られている。
【００３２】
そのような３点支持において、固定爪１１の形状が上記特許文献１に開示されたような先端部が面取りされた角柱形状のものであると、固定爪１１を例えば図５の（Ａ）に示すように対向する位置に配置した場合、固定爪１１のその面取りされた部分は、撮影レンズ鏡筒２のフード取付用溝２１（同図では、該溝の底面位置をハッチングにより示している）内で、そのフード取付用溝２１のＶ字の側面（図示せず）と面で当接しているので、その嵌合状態を解除するのは容易ではない。
【００３３】
この場合、図５の（Ｂ）に示すように、固定爪１１の凸部を、内径側に向かうに従って細くなる角錐状で、且つ、円周方向に沿った断面においてその円周方向に長い菱形断面を有するような形状とすれば、その嵌合は線接触によってなされている。そして、菱形断面であるので、固定爪１１が撮影レンズ鏡筒２のフード取付用溝２１内で、その菱形の一側面がフード取付用溝２１の側面と面接触するまで、レンズフード１の先端を回動させることができる。即ち、固定爪１１のフード取付用溝２１内での倒れを許容することができる。従って、このような形状の固定爪１１とすることで、可動爪１２をロック解除方向にフード取付用溝２１から退避させている状態でレンズフード１を図１中に示す矢印Ａのように光軸に対し若干曲げることができ、最低限の可動爪１２のストロークでフード取付用溝２１から可動爪１２を外し、その曲げたままの状態で、さらに固定爪１１が外れるまで可動爪１２を移動させれば良く、結局、必要以上に可動爪１２を移動させる必要はないので、迅速な取り外しを行うことができる。
【００３４】
そして、本実施の形態では、固定爪１１をそのような形状とし、それを２個、図５の（Ｃ）に示すように可動爪１２とは光軸を挟んで略反対側に配置することで、装着状態におけるガタツキも抑えるようにしている。
【００３５】
［第２の実施の形態］
次に、本発明の第２の実施の形態を説明する。
【００３６】
嵌合爪としての固定爪の形態は、上記第１の実施の形態で説明したような内径側に向かうに従って細くなる角錐状のものに限定されるものではなく、本質的に、テーパーになっていれば良いものである。
【００３７】
従って、例えば、図４の（Ｂ）に示すように、凸部が、内径側に向かうに従って細くなる円錐状の形状を有する円錐固定爪１１’としても、上記第１の実施の形態と同様の効果を奏する。なおこの場合も、該円錐固定爪１１’は、そのネジ穴１１１を、レンズフード１の所定位置に設けられたネジ止め用の穴１８に対し位置決めした上で、レンズフード１外周より止めネジ１７によりレンズフード１の所定位置内周に固定するものである。
【００３８】
以上、実施の形態に基づいて本発明を説明したが、本発明は上述した実施の形態に限定されるものではなく、本発明の要旨の範囲内で種々の変形や応用が可能なことは勿論である。
【００３９】
例えば、固定爪１１，１１’の個数は２個に限定するものではない。また、複数の固定爪の全てを上記のような角錐状もしくは円錐状の形状にするのではなく、少なくとも一つをそのような形状としても良い。さらには、それら角錐状の形状の固定爪１１と円錐状の形状の円錐固定爪１１’とを組み合わせて使用するものとしても良い。
【００４０】
また、固定爪１１，１１’の取り付け方法も、上記実施の形態のようなネジ止めに限定するものではない。さらには、レンズフードと別体として形成して取り付るのではなく、レンズフードに一体的に形成するようにしても良い。
【００４１】
【発明の効果】
以上詳述したように、本発明によれば、レンズ鏡筒に対して迅速且つ容易に着脱することの可能なレンズフードを提供することができる。
【図面の簡単な説明】
【図１】本発明の第１の実施の形態に係るレンズフードを一部切り欠いて示す斜視図である。
【図２】第１の実施の形態に係るレンズフードにおける係合爪としての可動爪の移動機構を説明するための組み立て図である。
【図３】可動爪の移動機構を説明するための断面図である。
【図４】（Ａ）は第１の実施の形態に係るレンズフードにおける嵌合爪としての固定爪の構成を説明するための組み立て図であり、（Ｂ）は第２の実施の形態に係るレンズフードにおける嵌合爪としての固定爪の構成を説明するための斜視図である。
【図５】（Ａ）は従来の形状の固定爪による問題点を説明するためのレンズフードの固定爪と撮影レンズ鏡筒のフード取付用溝とを模式的に示す図、（Ｂ）は第１の実施の形態における固定爪のフード取付用溝との嵌合状態を示す平面図であり、（Ｃ）は第１の実施の形態における固定爪と撮影レンズ鏡筒のフード取付用溝とを模式的に示す図である。
【符号の説明】
１…レンズフード、１１…固定爪、１１’…円錐固定爪、１１１…ネジ穴、１２…可動爪、１２１…貫通穴、１２２…貫通横穴、１３…ロック操作ダイアル、１３１…ネジ軸、１３２…Ｅリング用溝、１４…ネジ台、１４１…ネジ穴、１５…Ｅリング、１６，１８…穴、１７…ネジ、２…撮影レンズ鏡筒、２１…フード取付用溝、２２…壁。
【図１】
2005017377.tif 000003
【図２】
2005017377.tif 000004
【図３】
2005017377.tif 000005
【図４】
2005017377.tif 000006
【図５】
2005017377.tif 000007